(57)【特許請求の範囲】
【請求項１】
壁部と、この壁部の両側端に付設された杭施工用スペースを有する柱状の鉛直接合部と、基礎梁部とから構成される地下壁用ＰＣ部材をＰＣ壁孔に建入れ、前記杭施工用スペースに杭打機の掘削用オーガを挿入して杭孔を掘削し、その後杭を打ち込むことを特徴とする地下壁用ＰＣ部材を利用した地下構造物の杭の施工法。
【発明の詳細な説明】
【０００１】
【産業上の利用分野】
この発明は、地下壁用ＰＣ部材を利用した地下構造物の杭の施工法に関するものである。
【０００２】
【従来の技術】
従来の地下工法として、杭工事の後に地下躯体の工事を行なっている。例えば、杭の打ち込み後に、山留めを仮設材を用いて施工し、根切り完了後に現場にて地下躯体の鉄筋と型枠を組み、コンクリートを打ち、鉄筋コンクリート構造物を構築するものがある。
【０００３】
この地下工法の一例を、図１９乃至図２４に示す。即ち、杭孔１００を所定深さまで掘削し、杭１０１を打ち込み、まず杭の施工を行なう（図１９）。次に、杭１０１の外周にシートパイル１０２を打設する（図２０）。そして、シートパイル１０２の内側の根切りを行なう。一次根切りＬ１を行ない、第一段切梁１０４の施工を行なう。次に、二次根切りＬ２、第二段切梁１０５の施工を行ない、以下、順次これを繰り返し、床付面まで根切りする（図２１）。
【０００４】
根切り後、底盤部１０６の施工を行ない、最下段（図２２では第三段）切梁の撤去を行ない、地下躯体の第１立上り１０７の施工を行ない、第二段切梁１０５の撤去を行なう。そして、第２立上り１０８の施工を行ない、第一段切梁１０４及び支柱１０３の撤去を行なう（図２３）。最後に、最終立上り１０９の施工を行ない、シートパイル１０２を撤去し、床梁１１０の施工を行なう（図２４）。
【０００５】
【発明が解決しようとする課題】
このような地下工法では、地下躯体の工事を杭工事より先行することができず、ＰＣ地下躯体の必要な位置に杭を精度良く納めることができないことがある。
【０００６】
この発明は、かかる点に鑑みてなされたもので、杭工事を地下躯体工事の後に行なうことを可能とする地下壁用ＰＣ部材を利用した地下構造物の杭の施工法を提供することを目的としている。
【０００７】
【課題を解決するための手段】
前記課題を解決し、かつ目的を達成するために、請求項１記載の発明の地下壁用ＰＣ部材を利用した地下構造物の杭の施工法は、壁部と、この壁部の両側端に付設された杭施工用スペースを有する柱状の鉛直接合部と、基礎梁部とから構成される地下壁用ＰＣ部材をＰＣ壁孔に建入れ、前記杭施工用スペースに杭打機の掘削用オーガを挿入して杭孔を掘削し、その後杭を打ち込むことを特徴としている。
【０００８】
【作用】
請求項１記載の発明では、地下壁用ＰＣ部材をＰＣ壁孔に建入れて、地下壁用ＰＣ部材の杭施工用スペースに杭打機の掘削用オーガを挿入して杭孔を掘削し、その後杭を打ち込むことにより、杭工事を地下躯体工事の後に行なう。
【０００９】
【実施例】
以下、この発明の地下壁用ＰＣ部材を利用した地下構造物の杭の施工法の実施例を説明する。
【００１０】
まず、図１の地下壁用ＰＣ部材について説明する。図１（ａ）は地下壁用ＰＣ部材の斜視図、図１（ｂ）は地下壁用ＰＣ部材の側面図、図１（ｃ）は地下壁用ＰＣ部材の平面図、図１（ｄ）は地下壁用ＰＣ部材の基礎梁部の断面図である。
【００１１】
地下壁用ＰＣ部材１は、壁部１ａと、この壁部１ａの両側端に設けられた鉛直接合部１ｂと、基礎梁部１ｃとを有している。
【００１２】
鉛直接合部１ｂは杭施工用スペース１ｅを有する柱状に形成され、この杭施工用スペース１ｅは鉛直接合部１ｂに半円形の溝部１ｆにより形成されている。また、基礎梁部１ｃには柱状の鉛直接合部１ｂの地下構造物側に欠き込み１ｇを設けており、この欠き込み１ｇは半円形の溝部１ｆに連通する凹部１ｈにより形成されている。さらに、基礎梁部１ｃには主筋５０が配筋されている。この地下壁用ＰＣ部材１は地下壁の一般部に用いられる部材である。
【００１３】
次に、図２の地下壁用ＰＣ部材について説明する。図２（ａ）は地下壁用ＰＣ部材の斜視図、図２（ｂ）は地下壁用ＰＣ部材の側面図、図２（ｃ）は地下壁用ＰＣ部材の平面図、図２（ｄ）は地下壁用ＰＣ部材の基礎梁部の断面図である。
【００１４】
地下壁用ＰＣ部材２は、壁部２ａと、この壁部２ａの両側端に設けられた鉛直接合部２ｂと、基礎梁部２ｃとを有している。
【００１５】
鉛直接合部２ｂは杭施工用スペース２ｅを有する柱状に形成され、この杭施工用スペース２ｅは鉛直接合部２ｂに半円形の溝部２ｆにより形成されている。また、基礎梁部２ｃには一方の柱状の鉛直接合部２ｂの地下構造物側に欠き込み２ｇを有しており、この欠き込み２ｇは半円形の溝部２ｆに連通する凹部２ｈにより形成されている。さらに、基礎梁部２ｃには主筋５１が配筋されている。この地下壁用ＰＣ部材２は地下壁の隅角部に用いられる部材である。
【００１６】
次に、図３の地下壁用ＰＣ部材について説明する。図３（ａ）は地下壁用ＰＣ部材の斜視図、図３（ｂ）は地下壁用ＰＣ部材の側面図、図３（ｃ）は地下壁用ＰＣ部材の平面図、図３（ｄ）は地下壁用ＰＣ部材の基礎梁部の断面図である。
【００１７】
地下壁用ＰＣ部材３は、壁部３ａと、この壁部３ａの両側端に設けられた鉛直接合部３ｂと、基礎梁部３ｃとを有している。
【００１８】
鉛直接合部３ｂは杭施工用スペース３ｅを有する柱状に形成され、この杭施工用スペース３ｅは鉛直接合部３ｂに半円形の溝部３ｆにより形成されている。また、基礎梁部３ｃには一方の柱状の鉛直接合部３ｂの地下構造物側に欠き込み３ｇを有しており、この欠き込み３ｇは半円形の溝部３ｆに連通する凹部３ｈにより形成されている。さらに、基礎梁部３ｃには主筋５２が配筋されている。この地下壁用ＰＣ部材３は地下壁の隅角部に用いられる部材であり、図２に示す地下壁用ＰＣ部材２と接合される。
【００１９】
次に、図１乃至図３に示す地下壁用ＰＣ部材を利用した地下構造物の杭の施工法について説明する。
【００２０】
図４はＰＣ壁孔の掘削工程を示し、地下壁用ＰＣ部材を建入れるためのＰＣ壁孔１０を掘削する。
【００２１】
図５は地下壁用ＰＣ部材の建入れ根固め工程を示し、ＰＣ壁孔１０に、図１の地下壁用ＰＣ部材１を建入れて根固めを行なう。根固めは、トレミー管１２からコンクリート１４を注入して地下壁用ＰＣ部材１の高さを調整する。地下壁用ＰＣ部材１を建入れて根固めをした後に、トレミー管１２を外して、次のＰＣ壁孔１０を掘削する。
【００２２】
図６は杭の施工工程を示し、図４のＰＣ壁孔の掘削工程、図５の地下壁用ＰＣ部材の建入れ根固め工程を繰り返して、図１の地下壁用ＰＣ部材１、図２の地下壁用ＰＣ部材２及び図３の地下壁用ＰＣ部材３を建入れて根固めを行ない、隅角部は図２の地下壁用ＰＣ部材２と図３の地下壁用ＰＣ部材３を位置させ、この両者の間に図１の地下壁用ＰＣ部材１を位置させる。
【００２３】
図１の地下壁用ＰＣ部材１、図２の地下壁用ＰＣ部材２及び図３の地下壁用ＰＣ部材３の杭施工用スペースにより形成される孔に、図示しない杭打機の掘削用オーガを挿入して杭孔６０を掘削し、その後杭１５をその頭部を基礎梁部下端、即ち地下構造物の所定位置まで打ち込む。このように、杭１５の施工は、地下壁用ＰＣ部材の建入れ後、それぞれの地下壁用ＰＣ部材の杭施工用スペースを利用して行なう。
【００２４】
図７は頭つなぎの施工工程を示し、剛強な頭つなぎ１６を根切り全周面に設置し、この頭つなぎ１６により地下壁用ＰＣ部材１，２，３の頭部をつないで一体化する。
【００２５】
図８は掘削工程を示し、剛強な頭つなぎ１６を根切り全周面に設置し、その後地下壁内側を、現場打ち部基礎梁下端Ｌ４まで根切り１７する。
【００２６】
図９は基礎梁部分と鉛直接合部の施工工程を示し、根切り１７を行ない、その後地下壁用ＰＣ部材１，２，３の鉛直接合部１ｂ，２ｂ，３ｂの接合用欠き込み１ｇ，２ｇ，３ｇにおいて、基礎梁部１ｃ，２ｃ，３ｃの主筋同士の接合、現場打ち部基礎梁１８ａの主筋の地下壁用ＰＣ部材１，２，３への定着配筋・コンクリート打設を行ない、現場打ち部基礎梁１８ａと底盤１８ｂからなる底盤部１８の現場打ち施工を行なう。底盤部１８の施工後、地下壁用ＰＣ部材１，２，３の杭施工用スペース内に現場打ちコンクリート２０を打設して鉛直接合の施工を行なう。
【００２７】
この図４乃至図９に示す地下壁用ＰＣ部材を利用した地下構造物の杭の施工法によって、図１０乃至図１５に示す地下構造物が施工され、図１０は地下構造物の縦断面図、図１１は図１０のＸＩ−ＸＩ線に沿う断面図、図１２は地下壁用ＰＣ部材の接合状態を示す断面図、図１３は地下壁用ＰＣ部材の接合用欠き込みにおける主筋の接合状態を示す断面図、図１４は図１１のＸＩＶ−ＸＩＶ線に沿う断面図、図１５は図１１のＸＶ−ＸＶ線に沿う断面図である。
【００２８】
地下構造物３０は、ＰＣ壁孔に建入れた地下壁用ＰＣ部材１，２，３と、この地下壁用ＰＣ部材１，２，３の杭施工用スペースを利用して打ち込まれた杭１５と、地下壁用ＰＣ部材１，２，３の頭部同士をつないで一体化する剛強な頭つなぎ１６と、鉛直接合部の接合用欠き込みにおいて基礎梁部の主筋同士の接合、現場打ち部基礎梁１８ａの主筋の地下壁用ＰＣ部材１，２，３への定着配筋・コンクリート打設を行ない、現場打ちにより施工された底盤部１８とを有し、地下壁用ＰＣ部材１，２，３の杭施工用スペース内にコンクリート２０を打設することにより地下壁用ＰＣ部材１，２，３同士を一体化している。
【００２９】
地下壁用ＰＣ部材１，２の基礎梁接合部分２２は、図１３及び図１４に示すように、地下壁用ＰＣ部材１と、地下壁用ＰＣ部材２とに形成された鉛直接合部１ｂ，２ｂの接合用欠き込み１ｇ，２ｇにおいて、杭１５の頭部に配筋７０を配置し、底盤部１８の現場打ち部基礎梁１８ａの主筋２７，２８を配筋し、その後、地下壁用ＰＣ部材１，２に配置された主筋５０，５１を鉄筋２３を介して溶接等により接合するとともに、あばら筋２６の配筋を行なう。さらに、底盤部１８の現場打ち部基礎梁１８ａや底盤１８ｂの配筋を行ない、コンクリート２１の打設を行ない、底盤部１８の現場打ち施工を完了する。
【００３０】
底盤部１８の施工後に、地下壁用ＰＣ部材１，２の杭施工用スペース１ｅ，２ｅにコンクリート２０を現場打ちし、地下壁用ＰＣ部材１，２の鉛直接合の施工を行なう。
【００３１】
また、地下壁用ＰＣ部材１，１の基礎梁接合部分は同様に構成することができるので説明を省略する。さらに、地下壁用ＰＣ部材２，３の基礎梁接合部分は現場打ち部基礎梁１８ａの配筋がない等が異なるがほぼ同様に構成することができるので説明を省略する。
【００３２】
また、地下壁用ＰＣ部材１，２，３の他の実施例として、図１６乃至図１８に示すようなものがあり、図１６は地下壁用ＰＣ部材の接合状態を示す断面図、図１７は地下壁用ＰＣ部材の接合状態を示す基礎梁部分の断面図、図１８は図１６のＸＶＩＩＩ−ＸＶＩＩＩ線に沿う断面図である。
【００３３】
この実施例の地下壁用ＰＣ部材１，２，３は、前記の実施例と同様に構成されるが、地下壁用ＰＣ部材１，２，３の柱状の鉛直接合部１ｂ，２ｂ，３ｂの幅ｔ１，ｔ２，ｔ３が狭く形成され、鉛直接合部１ｂ，２ｂ，３ｂに形成された杭施工用スペース１ｅ，２ｅ，３ｅも小さくなっており、ＰＣ壁孔の掘削量が少なくなる。地下構造物３０の中間部の地下壁用ＰＣ部材１，２の杭施工用スペース１ｅ，２ｅ、地下壁用ＰＣ部材１，３の杭施工用スペース１ｅ，３ｅ、地下壁用ＰＣ部材１，１の杭施工用スペース１ｅ，１ｅには、杭１５が地下構造物の内側に打ち込まれる。
【００３４】
この実施例の地下壁用ＰＣ部材１，２は、図１８に示すように前記実施例と同様に接合され、さらに地下壁用ＰＣ部材１，１の基礎梁接合部も、同様に構成することができるので説明を省略する。さらに、地下壁用ＰＣ部材２，３の基礎梁接合部分は現場打ち部基礎梁１８ａの配筋がない等が異なるがほぼ同様に構成することができるので説明を省略する。
【００３５】
この発明では、単なる平板状のＰＣ部材と比べて、地下壁用ＰＣ部材１〜３同士の鉛直接合部１ｂ〜３ｂを柱状とすることにより、▲１▼杭施工用スペース１ｅ〜３ｅを大きくすることができるため、大きな径の杭１５の施工が可能となり、所要杭径を所要本数だけ効率よく設計・施工できる。また、▲２▼柱とすることができるため、基礎梁を設けて、ラーメン構造を構成でき、土圧・水圧、地震力等の荷重に対しての壁、底盤の設計において、その壁厚や底盤厚を薄くできる。さらに、▲３▼地下壁用ＰＣ部材１〜３同士の鉛直接合部１ｂ〜３ｂが大きくなるため、杭施工用スペース１ｅ〜３ｅ内への補強筋の配筋やコンクリート打設が容易となり、品質管理上良い。また、▲４▼鉛直接合部１ｂ〜３ｂの接合用欠き込み１ｇ〜３ｇを設けることができ、地下壁用ＰＣ部材１〜３と現場打ち部基礎梁の主筋の定着配筋が容易である。
【００３６】
【発明の効果】
前記したように、請求項１記載の発明は、地下壁用ＰＣ部材をＰＣ壁孔に建入れて、地下壁用ＰＣ部材の杭施工用スペースに杭打機の掘削用オーガを挿入して杭孔を掘削し、その後杭を打ち込むから、杭工事を地下躯体工事の後に行なうことが可能であり、ＰＣ地下躯体の必要な位置に杭を精度良く納められる。
【図面の簡単な説明】
【図１】地下壁用ＰＣ部材について説明する図である。
【図２】地下壁用ＰＣ部材について説明する図である。
【図３】地下壁用ＰＣ部材について説明する図である。
【図４】ＰＣ壁孔の掘削工程を示し、（ａ）は平面図、（ｂ）はｂ−ｂ線に沿う断面図、（ｃ）はｃ−ｃ線に沿う断面図である。
【図５】地下壁用ＰＣ部材の建入れ根固め工程を示し、（ａ）は平面図、（ｂ）はｂ−ｂ線に沿う断面図、（ｃ）はｃ−ｃ線に沿う断面図、（ｄ）は拡大断面図である。
【図６】杭の施工工程を示し、（ａ）は平面図、（ｂ）はｂ−ｂ線に沿う断面図、（ｃ）はｃ−ｃ線に沿う断面図である。
【図７】頭つなぎの施工工程を示し、（ａ）は平面図、（ｂ）はｂ−ｂ線に沿う断面図、（ｃ）はｃ−ｃ線に沿う断面図である。
【図８】掘削工程を示し、（ａ）は平面図、（ｂ）はｂ−ｂ線に沿う断面図、（ｃ）はｃ−ｃ線に沿う断面図である。
【図９】基礎梁部分と鉛直接合部の施工工程を示し、（ａ）は平面図、（ｂ）はｂ−ｂ線に沿う断面図、（ｃ）はｃ−ｃ線に沿う断面図である。
【図１０】地下構造物の縦断面図である。
【図１１】図１０のＸＩ−ＸＩ線に沿う断面図である。
【図１２】地下壁用ＰＣ部材の接合状態を示す断面図である。
【図１３】地下壁用ＰＣ部材の接合用欠き込みにおける主筋の接合状態を示す断面図である。
【図１４】図１１のＸＩＶ−ＸＩＶ線に沿う断面図である。
【図１５】図１１のＸＶ−ＸＶ線に沿う断面図である。
【図１６】地下壁用ＰＣ部材の接合状態を示す断面図である。
【図１７】地下壁用ＰＣ部材の接合状態を示す基礎梁部分の断面図である。
【図１８】図１６のＸＶＩＩＩ−ＸＶＩＩＩ線に沿う断面図である。
【図１９】従来の杭の施工を示し、（ａ）は平面図、（ｂ）はｂ−ｂ線に沿う断面図、（ｃ）はｃ−ｃ線に沿う断面図である。
【図２０】従来のシートパイルの打設を示し、（ａ）は平面図、（ｂ）はｂ−ｂ線に沿う断面図、（ｃ）はｃ−ｃ線に沿う断面図である。
【図２１】従来の根切り及び腹起し、切梁の施工を示し、（ａ）は平面図、（ｂ）はｂ−ｂ線に沿う断面図、（ｃ）はｃ−ｃ線に沿う断面図である。
【図２２】従来の底盤部の施工、第１立上りの施工及び第二段切梁の撤去を示し、（ａ）は平面図、（ｂ）はｂ−ｂ線に沿う断面図、（ｃ）はｃ−ｃ線に沿う断面図である。
【図２３】従来の第２立上りの施工及び第一段切梁の撤去を示し、（ａ）は平面図、（ｂ）はｂ−ｂ線に沿う断面図、（ｃ）はｃ−ｃ線に沿う断面図である。
【図２４】最終立上りの施工、シートパイルの撤去、床梁の施工を示し、（ａ）は平面図、（ｂ）はｂ−ｂ線に沿う断面図、（ｃ）はｃ−ｃ線に沿う断面図である。
【符号の説明】
１，２，３  地下壁用ＰＣ部材
１ａ，２ａ，３ａ  壁部
１ｂ，２ｂ，３ｂ  鉛直接合部
１ｅ，２ｅ，３ｅ  杭施工用スペース
１０  ＰＣ壁孔
１５  杭
【図１】
0003587479.tif 000002
【図２】
0003587479.tif 000003
【図３】
0003587479.tif 000004
【図４】
0003587479.tif 000005
【図５】
0003587479.tif 000006
【図６】
0003587479.tif 000007
【図７】
0003587479.tif 000008
【図８】
0003587479.tif 000009
【図９】
0003587479.tif 000010
【図１０】
0003587479.tif 000011
【図１１】
0003587479.tif 000012
【図１２】
0003587479.tif 000013
【図１３】
0003587479.tif 000014
【図１４】
0003587479.tif 000015
【図１５】
0003587479.tif 000016
【図１６】
0003587479.tif 000017
【図１７】
0003587479.tif 000018
【図１８】
0003587479.tif 000019
【図１９】
0003587479.tif 000020
【図２０】
0003587479.tif 000021
【図２１】
0003587479.tif 000022
【図２２】
0003587479.tif 000023
【図２３】
0003587479.tif 000024
【図２４】
0003587479.tif 000025